(57)【要約】【課題】  耐衝撃性が高く、破損等を防止できるとともに、組立性が良好なレンズ鏡筒の提供を目的としている。【解決手段】  本発明は、レンズ８を保持する移動枠２と、移動枠２の外周に設けられ且つ移動枠２に対して光軸方向に移動可能な直進環４とを備え、移動枠２と直進環４との間に弾性部材６が設けられたレンズ鏡筒において、移動枠２には、直進環４の光軸方向の移動量を規制するための規制部１０が設けられていることを特徴とする。【選択図】図１
2005062445.tif 000002
【特許請求の範囲】
【請求項１】
レンズを保持する移動枠と、前記移動枠の外周に設けられ且つ前記移動枠に対して光軸方向に移動可能な直進環とを備え、前記移動枠と前記直進環との間に弾性部材が設けられたレンズ鏡筒において、
前記移動枠には、前記直進環の光軸方向の移動量を規制する規制部が設けられていることを特徴とするレンズ鏡筒。
【請求項２】
前記移動枠には、前記移動枠に対する前記直進環の回転を規制する回転規制部が設けられていることを特徴とする請求項１に記載のレンズ鏡筒。
【請求項３】
前記移動枠と前記直進環との間に前記弾性部材により所定の力量を与えたことを特徴とする請求項１に記載のレンズ鏡筒。
【請求項４】
前記移動枠の外径が前記直進環の外径よりも小さいことを特徴とする請求項１に記載のレンズ鏡筒。
【請求項５】
レンズを保持する移動枠と、前記移動枠の外周に設けられ且つ前記移動枠に対して光軸方向に移動可能な直進環とを備え、前記移動枠と前記直進環との間に弾性部材が設けられたレンズ鏡筒において、
前記移動枠には、前記移動枠に対する前記直進環の回転を規制する回転規制部が設けられていることを特徴とするレンズ鏡筒。
【請求項６】
前記移動枠には、前記移動枠に対する前記直進環の光軸方向の移動量を規制する規制部が設けられていることを特徴とする請求項５に記載のレンズ鏡筒。
【請求項７】
前記移動枠と前記直進環との間に前記弾性部材により所定の力量を与え、前記移動枠の外径が前記直進環の外径よりも小さいことを特徴とする請求項５に記載のレンズ鏡筒。
【請求項８】
レンズを保持する移動枠と、前記移動枠の外周に設けられ且つ前記移動枠に対して光軸方向に移動可能な直進環とを備え、前記移動枠と前記直進環との間に弾性部材が設けられているレンズ鏡筒において、
前記直進環には、前記移動枠を光軸方向に移動させるためのカム枠と縲合する複数の軸が設けられ、
前記移動枠には、前記複数の軸が係合するための係合部が設けられ、
前記係合部と前記複数の軸とにより、前記移動枠に対する前記直進環の回転方向の移動規制および光軸方向の移動規制が行なわれることを特徴とするレンズ鏡筒。
【請求項９】
前記移動枠と前記直進環との間に前記弾性部材により所定の力量を与えたことを特徴とする請求項８に記載のレンズ鏡筒。
【請求項１０】
レンズを保持する移動枠と、前記移動枠の外周に設けられ且つ前記移動枠に対して光軸方向に移動可能な直進環とを備えたレンズ鏡筒において、
前記直進環には、前記移動枠を光軸方向に移動させるためのカム枠と縲合する複数の軸が設けられ、
前記移動枠には、前記複数の軸が係合するための係合部が設けられ、
前記係合部と前記複数の軸とにより、前記移動枠に対する前記直進環の回転方向の移動規制および光軸方向の移動規制が行なわれ、
前記係合形状と前記複数の軸との間の光軸方向に沿う空間に弾性部材が設けられていることを特徴とするレンズ鏡筒。
【請求項１１】
前記移動枠と前記直進環との間に前記弾性部材により所定の力量を与えたことを特徴とする請求項１０に記載のレンズ鏡筒。
【発明の詳細な説明】
【技術分野】
【０００１】
本発明は、特に耐衝撃性に優れたレンズ鏡筒に係わり、カメラ等の光学装置に設置可能なレンズ鏡筒に関する。
【背景技術】
【０００２】
従来、一般に知られているように、カメラ等の光学装置では、各種のレンズがレンズ鏡筒によって支持されている。また、レンズの振動を抑えるため、レンズ鏡筒に緩衝部材を設けたものがある（例えば、特許文献１参照）
【特許文献１】特開２００１−１１６９７４号公報。
【発明の開示】
【発明が解決しようとする課題】
【０００３】
しかし、このような構造では、鏡枠と鏡枠保護部材との２重構造となるため、レンズ鏡筒の全体形状が大きくなるという問題がある。
【０００４】
また、外力等が加わった際に緩衝部材が移動するような構造を採用するため、鏡枠保護部材と緩衝部材の取り付け方法が大変困難であった。
【０００５】
本発明前記事情に着目してなされたものであり、その目的とするところは、耐衝撃性が高く、破損等を防止できるレンズ鏡筒を提供することにある。
【課題を解決するための手段】
【０００６】
前記課題を解決するために、請求項１に記載された発明は、レンズを保持する移動枠と、前記移動枠の外周に設けられ且つ前記移動枠に対して光軸方向に移動可能な直進環とを備え、前記移動枠と前記直進環との間に弾性部材が設けられたレンズ鏡筒において、前記移動枠には、前記直進環の光軸方向の移動量を規制する規制部が設けられていることを特徴とする。
【０００７】
また、請求項２に記載された発明は、請求項１に記載された発明において、前記移動枠には、前記移動枠に対する前記直進環の回転を規制する回転規制部が設けられていることを特徴とする。
【０００８】
また、請求項３に記載された発明は、請求項１に記載された発明において、前記移動枠と前記直進環との間に前記弾性部材により所定の力量を与えたことを特徴とする。
【０００９】
また、請求項４に記載された発明は、請求項１に記載された発明において、前記移動枠の外径が前記直進環の外径よりも小さいことを特徴とする。
【００１０】
また、請求項５に記載された発明は、レンズを保持する移動枠と、前記移動枠の外周に設けられ且つ前記移動枠に対して光軸方向に移動可能な直進環とを備え、前記移動枠と前記直進環との間に弾性部材が設けられたレンズ鏡筒において、前記移動枠には、前記移動枠に対する前記直進環の回転を規制する回転規制部が設けられていることを特徴とする。  また、請求項６に記載された発明は、請求項５に記載された発明において、前記移動枠には、前記移動枠に対する前記直進環の光軸方向の移動量を規制する規制部が設けられていることを特徴とする。
【００１１】
また、請求項７に記載された発明は、請求項５に記載された発明において、前記移動枠と前記直進環との間に前記弾性部材により所定の力量を与え、前記移動枠の外径が前記直進環の外径よりも小さいことを特徴とする。
【００１２】
また、請求項８に記載された発明は、レンズを保持する移動枠と、前記移動枠の外周に設けられ且つ前記移動枠に対して光軸方向に移動可能な直進環とを備え、前記移動枠と前記直進環との間に弾性部材が設けられているレンズ鏡筒において、  前記直進環には、前記移動枠を光軸方向に移動させるためのカム枠と縲合する複数の軸が設けられ、前記移動枠には、前記複数の軸が係合するための係合部が設けられ、前記係合部と前記複数の軸とにより、前記移動枠に対する前記直進環の回転方向の移動規制および光軸方向の移動規制が行なわれることを特徴とする。
【００１３】
また、請求項９に記載された発明は、請求項８に記載された発明において、前記移動枠と前記直進環との間に前記弾性部材により所定の力量を与えたことを特徴とする。
【００１４】
また、請求項１０に記載された発明は、レンズを保持する移動枠と、前記移動枠の外周に設けられ且つ前記移動枠に対して光軸方向に移動可能な直進環とを備えたレンズ鏡筒において、前記直進環には、前記移動枠を光軸方向に移動させるためのカム枠と縲合する複数の軸が設けられ、前記移動枠には、前記複数の軸が係合するための係合部が設けられ、前記係合部と前記複数の軸とにより、前記移動枠に対する前記直進環の回転方向の移動規制および光軸方向の移動規制が行なわれ、前記係合形状と前記複数の軸との間の光軸方向に沿う空間に弾性部材が設けられていることを特徴とする。
【００１５】
また、請求項１１に記載された発明は、請求項１０に記載された発明において、前記移動枠と前記直進環との間に前記弾性部材により所定の力量を与えたことを特徴とする。
【発明の効果】
【００１６】
請求項１に記載された発明によれば、移動枠にある衝撃力が加えられると、移動枠と直進環との間に設置された弾性部材が変形して、衝撃力を吸収するため、耐衝撃性が高く、破損等を防止できるレンズ鏡筒を提供できる。
【００１７】
請求項２に記載された発明によれば、請求項１に記載された発明と同様の作用効果が得られるとともに、直進環の回転を効果的に規制できる。
【００１８】
請求項３に記載された発明によれば、請求項１に記載された発明と同様の作用効果が得られるとともに、より優れた耐衝撃性を持つレンズ鏡筒を提供できる。
【００１９】
請求項４に記載された発明によれば、請求項１に記載された発明と同様の作用効果が得られるとともに、精度を確保しつつコストを低減でき、なおかつ、組立性に優れたレンズ鏡筒を容易に達成することができる。
【００２０】
請求項５に記載された発明によれば、移動枠にある衝撃力が加えられると、移動枠と直進環との間に設置された弾性部材が変形して、衝撃力を吸収するため、耐衝撃性が高く、破損等を防止できるレンズ鏡筒を提供できる。
【００２１】
請求項６に記載された発明によれば、請求項５に記載された発明と同様の作用効果が得られるとともに、直進環の光軸方向の移動量を効果的に規制できる。
【００２２】
請求項７に記載された発明によれば、請求項５に記載された発明と同様の作用効果が得られるとともに、精度を確保しつつコストを低減でき、なおかつ、組立性に優れたレンズ鏡筒を容易に達成することができる。
【００２３】
請求項８に記載された発明によれば、移動枠にある衝撃力が加えられると、移動枠と直進環との間に設置された弾性部材が変形して、衝撃力を吸収するため、耐衝撃性が高く、破損等を防止できるレンズ鏡筒を提供できる。
【００２４】
請求項９に記載された発明によれば、請求項８に記載された発明と同様の作用効果が得られるとともに、より優れた耐衝撃性を持つレンズ鏡筒を提供できる。
【００２５】
請求項１０に記載された発明によれば、移動枠にある衝撃力が加えられると、移動枠と直進環との間に設置された弾性部材が変形して、衝撃力を吸収するため、耐衝撃性が高く、破損等を防止できるレンズ鏡筒を提供できる。
【００２６】
請求項１１に記載された発明によれば、請求項８に記載された発明と同様の作用効果が得られるとともに、より優れた耐衝撃性を持つレンズ鏡筒を提供できる。
【発明を実施するための最良の形態】
【００２７】
以下、図面を参照しながら、本発明の実施形態について説明する。
【００２８】
図１〜図３には、本発明の第１の実施形態が示されている。図１に示されるように、本実施形態に係るレンズ鏡筒は、レンズ８を保持する移動枠２と、その外周に移動枠２に対して光軸方向に移動可能な直進環４とを配置し、移動枠２と直進環４との間に弾性部材６（好ましくはゴムまたはバネ）を配置している。移動枠２に例えばＯリング形状の弾性部材を組付ける。なお、  図２および図３は、移動枠２と直進環４を被写体と反対側から見た図である。
【００２９】
移動枠２には、直進環４の光軸方向の移動を規制するための規制部１０があり、また、直進環４には、移動枠２の規制部１０を逃がす逃げ形状部４ａがあり，この位置（図２の位置）にて直進環４を移動枠２に組付けて矢印の方向（図２参照）に回転させる。
【００３０】
次に、直進環４の回転方向の移動を規制するため、回転規制部としての規制部材１２（ピン）を組み付ける。直進環４と規制部材１２は、圧入又は接着等で固定されており、移動枠２にはスリット１４（図３参照）が設けられ、このスリット１３と規制部材１２が嵌合しているので、直進環４は移動枠２に対して光軸方向にだけある量移動できる。
【００３１】
移動枠２と直進環４にある所定の力量を与えると、弾性部材６が変形して移動枠２と直進環４の距離が小さくなり、前記力量を取り除くと、弾性部材６の力量により元の距離に戻ることができる。
【００３２】
直進環４には、例えばカム枠１６に螺合するためのピン４ｂ（テーパ形状）が設けられている。また、例えばカム枠１６と光軸方向へは一体に移動し且つ固定枠２０から直進移動だけするように規制されている直進案内部材２２があり、直進案内部材２２から移動枠２は直進移動のみできる規制を受けており、カム枠１６は図示しないギヤ駆動機構にて回転される鏡筒である。
【００３３】
図１の状態で被写体方向から移動枠２にある衝撃力が加えられると、直進環４のピン４ｂはカム枠１６に螺合しているので固定されている状態であるから、移動枠２と直進環４との間に設置された弾性部材６が変形して、衝撃力を吸収するので目的のレンズ鏡筒を達成することができる。
【００３４】
なお、図４は、直進環４と移動枠２との間の寸法関係を示している。直進環４の外径寸法Ｂは、カム枠１６の内径と摺動するため、精度が必要とされる。これに対して、移動枠２の外径寸法Ａも前記Ｂ寸法と同じにすることはコストアップになるか又は精度を確保することに時間が必要になってしまう。そこで、外形寸法Ｂのみをカム枠１６との精度を確保し、直進環４の前記寸法Ａを前記寸法Ｂより小さくすることで容易にレンズ鏡筒を達成することができる。
【００３５】
図５〜図７は、本発明の第２の実施形態を示している。図５に示されるように、本実施形態に係るレンズ鏡筒は、レンズ８を保持する移動枠２と、その外周に移動枠２に対して光軸方向に移動可能な直進環４とを配置し、移動枠２と直進環４との間に弾性部材６（好ましくはゴムまたはバネ）を配置している。移動枠２に例えばＯリング形状の弾性部材を組付ける。なお、図６および図７は、移動枠２と直進環４を被写体と反対側から見た図である。
【００３６】
図６および７に示されるように、移動枠２には直進環４の回転方向の移動を規制するための回転規制部３０が設けられ、移動枠２と直進環４のある一定の位置で直進環４の光軸方向の移動量を規制するための規制部としてのピン３２を組み付ける。
【００３７】
直進環４とピン３２は圧入又は接着等で固定されており、ピン３２の先端部が移動枠４の例えば穴３４（図６参照）に入り、直進環４は光軸方向の移動量が規制される。これにより、図５の状態で被写体方向から移動枠２にある衝撃力が加えられると、直進環４のピン３２はカム枠１６に螺合しているため固定されている状態であるから、移動枠２と直進環４との間に設けられた弾性部材６が変形して衝撃力を吸収することができる。
【００３８】
なお、図８〜図１０に示されるように、直進環４の光軸方向を規制する規制部は、移動枠２の後端面に例えばネジ２５で止められた板状の部材１０Ａであっても良い。
【００３９】
図１１〜図１３は、本発明の第３の実施形態を示している。図１１に示されるように、本実施形態に係るレンズ鏡筒は、レンズ８を保持する移動枠２と、その外周に移動枠２に対して光軸方向に移動可能な直進環４とを配置し、移動枠２と直進環４との間に弾性部材６（好ましくはゴムまたはバネ）を配置している。移動枠２に例えばＯリング形状の弾性部材を組付ける。なお、図１２および図１３は、移動枠２と直進環４を被写体と反対側から見た図である。
【００４０】
移動枠２に対する回転方向の規制と光軸方向の移動量を規制し且つカム枠１６等に螺合する複数の軸４０を組み付ける。直進環４と複数の軸４０は圧入又は接着等で固定されており、移動枠２には、複数の軸４０と嵌合し回転方向の規制と光軸方向の移動量を規制するための係合部としての例えば長穴４６（図１２参照）が設けられている。これにより、図１１の状態で被写体方向から移動枠２にある衝撃力が加えられると、直進環４に設置された複数の軸４０がカム枠１６に螺合しているので固定されている状態であるから、移動枠２と直進環４との間に設置された弾性部材６が変形して衝撃力を吸収することができる。
【００４１】
図１４は、本発明の第４の実施形態を示している。図示のように、移動枠２には直進環４の回転方向の規制と光軸方向の移動量を規制するため、例えば長穴形状の凹形状が設けられ、これとカム枠１６等に螺合する複数の軸４０が直進環４と圧入又は接着等で固定されており、複数の軸４０の先端が前記凹形状と嵌合する。複数の軸４０と前記凹形状の光軸方向の被写体側の空間に弾性部材６を設置することによって、目的のレンズ鏡胴を達成することができる。
【００４２】
なお、前述の各実施形態のカム枠１６は内径側にテーパが広がる形状とカム枠１６に螺合する軸形状もテーパ形状であるが、内径から外径にテーパが広がる形状のカム枠とストレート形状の軸でも達成できることは言うまでもない。
【産業上の利用可能性】
【００４３】
本発明は、撮影光学装置及び光学要素を含む画像入力装置にも適用できる。
【図面の簡単な説明】
【００４４】
【図１】本発明の第１の実施形態に係るレンズ鏡筒の半断面図である。
【図２】図１のレンズ鏡筒を構成する移動枠と直進環を被写体と反対側から見た図である。
【図３】図１のレンズ鏡筒を構成する移動枠と直進環を被写体と反対側から見た図であり、図中一点鎖線で抜き出して示す図は、レンズ鏡筒を側面から見た図である。
【図４】移動枠と直進環との寸法関係を示す図である。
【図５】本発明の第２の実施形態に係るレンズ鏡筒の半断面図である。
【図６】図５のレンズ鏡筒を構成する移動枠と直進環を被写体と反対側から見た図であり、図中一点鎖線で抜き出して示す図は、レンズ鏡筒を側面から見た図である。
【図７】図５のレンズ鏡筒を構成する移動枠と直進環を被写体と反対側から見た図であり、図中一点鎖線で抜き出して示す図は、レンズ鏡筒を側面から見た図である。
【図８】変形例に係るレンズ鏡筒の要部断面図である。
【図９】図８のレンズ鏡筒を構成する移動枠と直進環を被写体と反対側から見た図である。
【図１０】図８のレンズ鏡筒を構成する移動枠と直進環を被写体と反対側から見た図である。
【図１１】本発明の第３の実施形態に係るレンズ鏡筒の半断面図である。
【図１２】図１１のレンズ鏡筒を構成する移動枠と直進環を被写体と反対側から見た図であり、図中一点鎖線で抜き出して示す図は、レンズ鏡筒を側面から見た図である。
【図１３】図１１のレンズ鏡筒を構成する移動枠と直進環を被写体と反対側から見た図である。
【図１４】本発明の第４の実施形態に係るレンズ鏡筒の半断面図である。
【符号の説明】
【００４５】
２    移動枠
４    直進環
６    弾性部材
１０    規制部
【図１】
2005062445.tif 000003
【図２】
2005062445.tif 000004
【図３】
2005062445.tif 000005
【図４】
2005062445.tif 000006
【図５】
2005062445.tif 000007
【図６】
2005062445.tif 000008
【図７】
2005062445.tif 000009
【図８】
2005062445.tif 000010
【図９】
2005062445.tif 000011
【図１０】
2005062445.tif 000012
【図１１】
2005062445.tif 000013
【図１２】
2005062445.tif 000014
【図１３】
2005062445.tif 000015
【図１４】
2005062445.tif 000016